(57)【要約】【課題】記録媒体から読み出したオーディオデータを携帯型通信機器に直接記録する。【解決手段】ＣＰＵ１１は、ＣＤ３０から読み出されたＴＯＣ情報、およびオーディオデータを解析して得られる音楽パターンに基づき楽曲取得情報を生成する。携帯電話機２０は、楽曲取得情報をネットワーク５０を介してサーバ４０に対して送信する。サーバ４０は、多数のフリンジ情報の中から、楽曲取得情報に対応するフリンジ情報を検索し、携帯電話機２０に対して送信する。携帯電話機２０は、受信したフリンジ情報をオーディオ機器１０に供給する。ＣＰＵ１１は、フリンジ情報に基づき携帯電話機２０に記録フォルダを作成する。また、ＣＰＵ１１は、ＣＤ３０から読み出されたオーディオデータに対して圧縮符号化処理を施し、フリンジ情報を付加して圧縮オーディオデータを生成する。そして、圧縮オーディオデータを記録フォルダに記録する。【選択図】図４
2008171516.tif 000002
【特許請求の範囲】
【請求項１】
携帯型通信機器に対してオーディオデータを記録する記録装置において、
上記携帯型通信機器が接続される接続部と、
オーディオデータおよび該オーディオデータを管理するためのＴＯＣ（テーブル・オブ・コンテンツ）情報が記録された着脱可能な記録媒体から上記オーディオデータおよび上記ＴＯＣ情報を読み出す再生部と、
上記接続部に接続された上記携帯型通信機器を制御する制御部と
を有し、
上記制御部の制御によって、
上記ＴＯＣ情報に基づき上記オーディオデータの特徴を示す楽曲取得情報を生成し、
上記楽曲取得情報を上記携帯型通信機器およびネットワークを介してサーバに送信し、
上記楽曲取得情報に基づく上記オーディオデータの関連情報であるフリンジ情報を上記ネットワークおよび上記携帯型通信機器を介して上記サーバから受信し、
上記オーディオデータに対して上記フリンジ情報を付加して上記携帯型通信機器内の記憶媒体に記録する
ことを特徴とする記録装置。
【請求項２】
請求項１に記載の記録装置において、
上記制御部は、
上記携帯型通信機器内の上記記憶媒体に上記フリンジ情報が付加されたオーディオデータを記録するための記録フォルダを作成し、
上記記録フォルダに上記フリンジ情報が付加されたオーディオデータを記録する
ことを特徴とする記録装置。
【請求項３】
請求項２に記載の記録装置において、
上記制御部は、
上記フリンジ情報に基づき上記記録フォルダの名称を付する
ことを特徴とする記録装置。
【請求項４】
請求項１に記載の記録装置において、
上記制御部は、
上記ＴＯＣ情報および上記オーディオデータの音楽パターンに基づき上記楽曲取得情報を生成する
ことを特徴とする記録装置。
【請求項５】
外部のサーバとネットワークを介して通信可能な携帯型通信機器を用いて、上記サーバからオーディオデータをメモリデバイスに記録する記録装置において、
上記携帯型通信機器が接続される第１の接続部と、
上記メモリデバイスが接続される第２の接続部と、
上記携帯型通信機器および上記メモリデバイスを制御し、上記サーバから上記ネットワークおよび上記携帯型通信機器を介して供給されたオーディオデータを上記メモリデバイス内の記憶媒体に記録する制御部と
を有することを特徴とする記録装置。
【請求項６】
請求項５に記載の記録装置において、
上記制御部は、
上記メモリデバイス内の上記記憶媒体に上記オーディオデータを記録するための記録フォルダを作成し、
上記記録フォルダに上記オーディオデータを記録する
ことを特徴とする記録装置。
【請求項７】
請求項６に記載の記録装置において、
上記制御部は、
上記オーディオデータに付加された該オーディオデータの関連情報であるフリンジ情報に基づき上記記録フォルダの名称を付する
ことを特徴とする記録装置。
【請求項８】
携帯型通信機器に対してオーディオデータを記録する記録方法において、
上記携帯型通信機器が接続部に接続され、
オーディオデータおよび該オーディオデータを管理するためのＴＯＣ情報が記録された着脱可能な記録媒体から上記オーディオデータおよび上記ＴＯＣ情報が読み出され、
上記接続部に接続された上記携帯型通信機器を制御し、
上記ＴＯＣ情報に基づき上記オーディオデータの特徴を示す楽曲取得情報を生成し、
上記楽曲取得情報を上記携帯型通信機器およびネットワークを介してサーバに送信し、
上記楽曲取得情報に基づく上記オーディオデータの関連情報であるフリンジ情報を上記ネットワークおよび上記携帯型通信機器を介して上記サーバから受信し、
上記オーディオデータに対して上記フリンジ情報を付加して上記携帯型通信機器内の記憶媒体に記録する
ことを特徴とする記録方法。
【請求項９】
外部のサーバとネットワークを介して通信可能な携帯型通信機器を用いて、上記サーバからオーディオデータをメモリデバイスに記録する記録方法において、
上記携帯型通信機器が第１の接続部に接続され、
上記メモリデバイスが第２の接続部に接続され、
上記携帯型通信機器および上記メモリデバイスを制御し、上記サーバから上記ネットワークおよび上記携帯型通信機器を介して供給されたオーディオデータを上記メモリデバイス内の記憶媒体に記録する
ことを特徴とする記録方法。
【発明の詳細な説明】
【技術分野】
【０００１】
この発明は、音楽再生が可能な携帯型通信機器にオーディオデータを記録する記録装置および記録方法に関する。
【背景技術】
【０００２】
近年、内部に設けられたＨＤＤ（Hard Disc Drive）や不揮発性メモリにオーディオデータを記録し、音楽を再生できる携帯型通信機器が急速に普及している。このような携帯型通信機器は、例えば、ＣＤ（Compact Disc）などの記録媒体に記録されたオーディオデータをＭＰ３（MPEG-1 audio layer 3）やＡＡＣ（Advanced Audio Coding）などの所定の圧縮符号化方式を用いて記録し、記録された圧縮オーディオデータを再生することができる。
【０００３】
ＣＤに記録されたオーディオデータを携帯型通信機器に録音する場合には、通常、外部のネットワークに接続可能なパーソナルコンピュータ（以下、ＰＣと適宜称する）を使用する。具体的には、例えば、図７Ａに示すように、ＰＣ１１０と携帯型通信機器である携帯電話機１２０とを接続する。ＰＣ１１０は、インターネットなどのネットワーク１５０に接続されている。また、ネットワーク１５０には、タイトルやアーティスト名など、ＣＤ１３０に記録されたオーディオデータの関連情報であるフリンジ情報が多数記録されたサーバ１４０が接続されている。
【０００４】
オーディオデータが記録された記録媒体であるＣＤ１３０をＰＣ１１０に設けられたディスクドライブに装着し、ユーザがＰＣ１１０の操作部を操作することによりオーディオデータの記録が開始されると、ＰＣ１１０は、ＣＤ１３０からオーディオデータを読み出し、圧縮符号化処理などの所定の信号処理を施して圧縮オーディオデータを生成する。
【０００５】
また、ＰＣ１１０は、ＣＤ１３０に記録されているオーディオデータを管理するためのＴＯＣ（Table Of Contents／テーブル・オブ・コンテンツ）情報などの記録媒体および各楽曲を特定できる情報、例えば総演奏時間の情報および各楽曲の演奏時間の情報をＣＤ１３０から読み出し、ＴＯＣ情報等に基づきＣＤ１３０の特徴を示す情報である楽曲取得情報を生成する。そして、ＰＣ１１０は、ネットワーク１５０を介してサーバ１４０に対して楽曲取得情報を送信し、楽曲取得情報に基づき、ＣＤ１３０に対応するフリンジ情報をサーバ１４０から取得する。
【０００６】
ＰＣ１１０は、圧縮オーディオデータに対してフリンジ情報を付加し、ＰＣ１１０に設けられた記憶部に記録する。この場合、携帯電話機１２０に記録された圧縮オーディオデータにはフリンジ情報が付加されているため、ファイル名として、例えば楽曲のタイトルが用いられる。そして、ＰＣ１１０は、記憶部に記録された圧縮オーディオデータを携帯電話機１２０に転送する。このようにして、ＰＣ１１０は、ＣＤ１３０に記録されたオーディオデータを記録し、記録されたオーディオデータを携帯電話機１２０に記録することができる。
【０００７】
しかしながら、この場合、ＣＤに記録されたオーディオデータを一旦ＰＣに取り込み、さらに、取り込んだオーディオデータをＰＣから携帯型通信機器に転送する必要がある。そのため、ＣＤのオーディオデータを携帯型通信機器に録音することは、ユーザにとって手間がかかってしまうという問題点があった。
【０００８】
また、ＣＤのオーディオデータを携帯型通信機器に録音するためには、ＣＤからオーディオデータを読み出すためのＰＣが必要となるため、ＰＣを所有していないユーザは、録音することができないという問題点があった。
【０００９】
そこで、この問題を解決する方法として、ＣＤに記録されたオーディオデータを携帯型通信機器に直接記録する記録装置が提案されている。このような記録装置は、携帯型通信機器を接続し、記録装置に装着されたＣＤから読み出したオーディオデータに対して圧縮符号化処理などの所定の信号処理を施すことによって生成された圧縮オーディオデータを、携帯型通信機器に直接記録することができるようになっている。
【００１０】
具体的には、例えば、図７Ｂに示すように、記録装置としてのオーディオ機器１６０と携帯型通信機器としての携帯電話機１２０とを接続する。オーディオデータが記録されたＣＤ１３０をオーディオ機器１６０のディスクドライブに装着し、ユーザがオーディオ機器１６０の操作部を操作することにより録音が開始されると、オーディオ機器１６０は、ＣＤ１３０からオーディオデータを読み出し、ＭＰ３などの所定の圧縮符号化方式を用いて圧縮符号化処理を施して圧縮オーディオデータを生成する。そして、オーディオ機器１６０は、生成された圧縮オーディオデータを携帯電話機１２０の記憶部に記録する。
【００１１】
このように、記録装置と携帯型通信機器とを接続し、記録装置に装着された記録媒体のオーディオデータを記録装置から携帯型通信機器に直接記録する技術が、下記の特許文献１に記載されている。
【００１２】
【特許文献１】特開２０００−２９９７１８号公報
【発明の開示】
【発明が解決しようとする課題】
【００１３】
ところで、携帯型通信機器は、主要機能である通信機能を有しており、外部のネットワークを介してサーバにアクセスすることができる。しかしながら、上述の記録装置では、接続された携帯型通信機器をオーディオデータを記録するための記録媒体として用いており、通信機能を用いることを想定していない。したがって、この携帯型通信機器を用いた場合であっても、外部のネットワークを介してサーバにアクセスしてフリンジ情報を取得することができないという問題点があった。
【００１４】
フリンジ情報が取得できないため、携帯型通信機器に記録された圧縮オーディオデータのファイル名としては、例えば「Ｔｒａｃｋ０１」や「Ｔｉｔｌｅ０１」などの一般的な名称が付される。したがって、携帯型通信機器に記録された多数の圧縮オーディオデータの中からユーザが所望する圧縮オーディオデータを検索することが困難であり、非常に不便である。
【００１５】
また、この携帯型通信機器の通信機能を用いて、外部のネットワークを介してサーバにアクセスしてフリンジ情報を取得できる場合であっても、ユーザが携帯型通信機器を直接操作してサーバにアクセスする必要があるため、操作が煩雑であるという問題点があった。さらに、フリンジ情報を取得するためのアクセス先が不明な場合も多く、ユーザにとって非常に不便である。
【００１６】
したがって、この発明の目的は、携帯型通信機器の通信機能を用いて、ＣＤから読み出したオーディオデータに関連するフリンジ情報を容易に取得し、取得したフリンジ情報を付加したオーディオデータを携帯型通信機器に直接記録することができる記録装置および記録方法を提供することにある。
【課題を解決するための手段】
【００１７】
上述した課題を解決するために、第１の発明は、携帯型通信機器に対してオーディオデータを記録する記録装置において、携帯型通信機器が接続される接続部と、オーディオデータおよびオーディオデータを管理するためのＴＯＣ（テーブル・オブ・コンテンツ）情報が記録された着脱可能な記録媒体からオーディオデータおよびＴＯＣ情報を読み出す再生部と、接続部に接続された携帯型通信機器を制御する制御部とを有し、制御部の制御によって、ＴＯＣ情報に基づきオーディオデータの特徴を示す楽曲取得情報を生成し、楽曲取得情報を携帯型通信機器およびネットワークを介してサーバに送信し、楽曲取得情報に基づくオーディオデータの関連情報であるフリンジ情報をネットワークおよび携帯型通信機器を介してサーバから受信し、オーディオデータに対してフリンジ情報を付加して携帯型通信機器内の記憶媒体に記録することを特徴とする記録装置である。
【００１８】
また、第２の発明は、外部のサーバとネットワークを介して通信可能な携帯型通信機器を用いて、サーバからオーディオデータをメモリデバイスに記録する記録装置において、携帯型通信機器が接続される第１の接続部と、メモリデバイスが接続される第２の接続部と、携帯型通信機器およびメモリデバイスを制御し、サーバからネットワークおよび携帯型通信機器を介して供給されたオーディオデータをメモリデバイス内の記憶媒体に記録する制御部とを有することを特徴とする記録装置である。
【００１９】
また、第３の発明は、携帯型通信機器に対してオーディオデータを記録する記録方法において、携帯型通信機器が接続部に接続され、オーディオデータおよびオーディオデータを管理するためのＴＯＣ情報が記録された着脱可能な記録媒体からオーディオデータおよびＴＯＣ情報が読み出され、接続部に接続された携帯型通信機器を制御し、ＴＯＣ情報に基づきオーディオデータの特徴を示す楽曲取得情報を生成し、楽曲取得情報を携帯型通信機器およびネットワークを介してサーバに送信し、楽曲取得情報に基づくオーディオデータの関連情報であるフリンジ情報をネットワークおよび携帯型通信機器を介してサーバから受信し、オーディオデータに対してフリンジ情報を付加して携帯型通信機器内の記憶媒体に記録することを特徴とする記録方法である。
【００２０】
また、第４の発明は、外部のサーバとネットワークを介して通信可能な携帯型通信機器を用いて、サーバからオーディオデータをメモリデバイスに記録する記録方法において、携帯型通信機器が第１の接続部に接続され、メモリデバイスが第２の接続部に接続され、携帯型通信機器およびメモリデバイスを制御し、サーバからネットワークおよび携帯型通信機器を介して供給されたオーディオデータをメモリデバイス内の記憶媒体に記録することを特徴とする記録方法である。
【００２１】
上述したように、第１および第３の発明では、携帯型通信機器が接続部に接続され、オーディオデータおよびオーディオデータを管理するためのＴＯＣ情報が記録された着脱可能な記録媒体からオーディオデータおよびＴＯＣ情報が読み出され、接続部に接続された携帯型通信機器を制御し、ＴＯＣ情報に基づきオーディオデータの特徴を示す楽曲取得情報を生成し、楽曲取得情報を携帯型通信機器およびネットワークを介してサーバに送信し、楽曲取得情報に基づくオーディオデータの関連情報であるフリンジ情報をネットワークおよび携帯型通信機器を介してサーバから受信し、オーディオデータに対してフリンジ情報を付加して携帯型通信機器内の記憶媒体に記録するようにしているため、オーディオデータが携帯型通信機器に直接記録される。
【００２２】
また、第２および第４の発明では、携帯型通信機器が第１の接続部に接続され、メモリデバイスが第２の接続部に接続され、携帯型通信機器およびメモリデバイスを制御し、サーバからネットワークおよび携帯型通信機器を介して供給されたオーディオデータをメモリデバイス内の記憶媒体に記録するようにしているため、サーバから受信したオーディオデータが携帯型通信機器に直接記録される。
【発明の効果】
【００２３】
この発明は、携帯型通信機器の通信機能を用いて、着脱可能な記録媒体から取得したＴＯＣ情報に基づくフリンジ情報を取得し、フリンジ情報を付加したオーディオデータを携帯型通信機器に記録するようにしているため、ユーザが携帯型通信機器を直接操作することなく、フリンジ情報が付加されたオーディオデータを携帯型通信機器に自動的に記録することができるという効果がある。
【発明を実施するための最良の形態】
【００２４】
以下、この発明の実施の一形態について、図面を参照して説明する。この発明の実施の一形態では、記録装置と携帯型通信機器とが接続され、携帯型通信機器とサーバとがネットワークを介して接続されている。そして、記録媒体に記録されたオーディオデータを携帯型通信機器に記録する際に、サーバからネットワークを介してオーディオデータの関連情報を取得し、取得した関連情報をオーディオデータに関連付けて携帯型通信機器に記録するようにした。
【００２５】
具体的には、例えば、図１に示すように、記録装置としてのオーディオ機器１０と携帯型通信機器としての携帯電話機２０とが接続される。オーディオ機器１０は、例えばその上面に接続部が設けられ、オーディオ機器１０に携帯電話機２０を載置して、オーディオ機器１０の接続部と携帯電話機２０の接続部とが直接的に接続することができるようになっている。また、オーディオ機器１０には、携帯電話機２０を載置した際に、携帯電話機２０を固定するためのスタンドが設けられている。
【００２６】
携帯電話機２０は、インターネットなどのネットワーク５０に接続可能であり、オーディオ機器１０の制御に基づき外部の機器と通信を行い、各種データのやりとりを行うことができる。ネットワーク５０には、サーバ４０が接続されており、サーバ４０には、ＣＤ（Compact Disc）３０などの記録媒体に記録されているオーディオデータの関連情報であるフリンジ情報が多数記録されている。そして、サーバ４０は、外部の機器からの要求に応じてフリンジ情報を供給する。フリンジ情報としては、例えば、ＣＤのアルバム名、アーティスト名および各曲のタイトルが記述されている。
【００２７】
次に、オーディオ機器１０および携帯電話機２０の一例の構成について、図２を参照して詳細に説明する。この例では、オーディオ機器１０および携帯電話機２０について、この発明の実施の一形態に関係の深い部分のみを示し、それ以外の部分については、説明を省略する。オーディオ機器１０は、図２に示すように、制御部としてのＣＰＵ（Central Processing Unit）１１、ＲＯＭ（Read Only Memory）１２、ＲＡＭ（Random Access Memory）１３、再生部としてのディスクドライブ１４、接続部１５、表示部１６および操作部１７を備え、各部がバス１８を介して接続される構成となっている。なお、ここでは、着脱可能な記録媒体としてＣＤやＣＤ−ＲＯＭ（Compact Disc -Read Only Memory）を用いた場合を例にとって説明する。
【００２８】
ディスクドライブ１４は、オーディオデータが記録された着脱可能な記録媒体であるＣＤ３０が装着された場合に、ＣＤ３０を再生してオーディオデータを読み出し、復調処理等の所定の信号処理を施す。そして、ディスクドライブ１４は、復調されたオーディオデータをＣＰＵ１１に供給する。また、ディスクドライブ１４は、ＣＤ３０に記録されているオーディオデータの曲数や総演奏時間を示すＴＯＣ（Table Of Contents／テーブル・オブ・コンテンツ）情報を読み出し、ＣＰＵ１１に供給する。
【００２９】
ＣＰＵ１１は、ＲＯＭ１２に予め格納されたプログラムに従い、ＲＡＭ１３をワークメモリとしてバス１８に接続された各部を制御する。また、ＣＰＵ１１は、接続部１５を介してオーディオ機器１０と携帯電話機２０とが接続された場合、携帯電話機２０の各部を制御し、携帯電話機２０をネットワーク５０に接続するように制御する。ＣＰＵ１１は、ディスクドライブ１４から供給されたオーディオデータを解析して音楽パターンを抽出し、ディスクドライブ１４から供給されたＴＯＣ情報と音楽パターンとに基づきＣＤ３０に記録されたオーディオデータの特徴を示す楽曲取得情報を生成する。そして、ＣＰＵ１１は、生成した楽曲取得情報を接続部１５に供給する。
【００３０】
また、ＣＰＵ１１は、ディスクドライブ１４から供給されたオーディオデータに対して所定の圧縮符号化処理を施して圧縮オーディオデータを生成する。オーディオデータの圧縮符号化処理としては、例えば、ＭＰ３（MPEG-1 audio layer 3）やＡＡＣ（Advanced Audio Coding）などを用いることができる。さらに、ＣＰＵ１１は、接続部１５から供給されるフリンジ情報を、圧縮オーディオデータの圧縮符号化形式に応じて所定の形式に変換し、生成した圧縮オーディオデータに対して付加する。具体的には、例えば、圧縮オーディオデータの圧縮符号化形式としてＭＰ３を用いている場合、フリンジ情報を「ＩＤ３タグ」の形式に変換し、圧縮オーディオデータの前または後ろに付加する。そして、ＣＰＵ１１は、フリンジ情報を付加した圧縮オーディオデータを接続部１５に供給する。
【００３１】
接続部１５は、例えばコネクタであり、外部の携帯電話機２０に設けられた接続部２１と直接的に接続され、所定のプロトコルを用いて通信を行うことによりデータの送受信を行う。接続部１５は、ＣＰＵ１１から供給された圧縮オーディオデータや楽曲取得情報を、接続部２１を介して携帯電話機２０に供給する。また、接続部１５は、携帯電話機２０から供給されたフリンジ情報をＣＰＵ１１に供給する。
【００３２】
表示部１６は、例えばＬＣＤ（Liquid Crystal Display）が用いられ、ＣＤ３０のＴＯＣ情報に基づき、ＣＤ３０の曲番号や再生時間などを表示する。また、表示部１６は、携帯電話機２０の記憶部２２に記録されている圧縮オーディオデータのフリンジ情報を表示する。操作部１７は、例えば、オーディオ機器１０のパネルに設けられたダイヤルキーやその他キー等の操作子や、リモートコントロールコマンダなどが用いられ、録音の際に操作される。
【００３３】
携帯電話機２０は、接続部２１、記憶部２２、通信部２３およびアンテナ２４を備え、各部がバス２５を介して接続される構成となっている。携帯電話機２０は、電話の送受話や記録されたオーディオデータの再生処理などの動作が行われる場合、図示されないＣＰＵにより各部が制御されるが、接続部２１を介してオーディオ機器１０と接続された場合には、オーディオ機器１０のＣＰＵ１１によって各部が制御されるようになっている。
【００３４】
接続部２１は、例えばコネクタであり、上述したオーディオ機器１０の接続部１５と直接的に接続され、所定のプロトコルを用いて通信を行うことによりデータの送受信を行う。接続部２１は、オーディオ機器１０から接続部１５を介して供給された楽曲取得情報を通信部２３に供給する。また、接続部２１は、通信部２３から供給されたフリンジ情報を、オーディオ機器１０に供給する。
【００３５】
通信部２３は、アンテナ２４を介して、ネットワーク５０に接続されたサーバ４０に対して接続部２１から供給された楽曲取得情報を送信する。また、通信部２３は、アンテナ２４を介して、サーバ４０から送られたフリンジ情報を受け取り、接続部２１に供給する。
【００３６】
記憶部２２は、例えばＨＤＤ（Hard Disc Drive）や不揮発性メモリを記録媒体とし、接続部２１を介してオーディオ機器１０から供給された圧縮オーディオデータを記録する。記憶部２２には、圧縮オーディオデータを記録するための記録フォルダがオーディオ機器１０のＣＰＵ１１の制御によって作成される。記録フォルダは、サーバ４０から供給されたフリンジ情報に記述されている情報に基づき作成される。
【００３７】
具体的には、例えば、図３Ａに示すように、記憶部２２には「Ｍｕｓｉｃ」フォルダが設けられており、オーディオデータは、この「Ｍｕｓｉｃ」フォルダに記録される。そして、フリンジ情報に記述されているアーティスト名に基づき、例えば、「Ｍｕｓｉｃ」フォルダ内にアーティスト名「宇多田ヒカル」が付された記録フォルダが作成される。そして、この記録フォルダに、各曲のタイトル「Ａｕｔｏｍａｔｉｃ」、「Ｆｉｒｓｔ  Ｌｏｖｅ」、・・・、「ＣＯＬＯＲＳ」が圧縮オーディオデータに付されて記録される。
【００３８】
サーバ４０からフリンジ情報が供給されない場合には、例えば、図３Ｂに示すように、「Ｍｕｓｉｃ」フォルダ内に「Ｕｎｋｎｏｗｎ  Ａｒｔｉｓｔ」などの所定の名称が付された記録フォルダが作成される。また、この記録フォルダには、ＣＤ３０に記録されたトラック順に「Ｔｉｔｌｅ  ＃１」、「Ｔｉｔｌｅ  ＃２」、・・・、「Ｔｉｔｌｅ  ＃Ｎ」といった所定の名称が圧縮オーディオデータに付されて記録される。
【００３９】
なお、この例では、ＣＤ３０に記録されたオーディオデータを記録する記録フォルダに対してアーティスト名が付されて作成されるように説明したが、これはこの例に限られない。例えば、同一のアーティストで異なるＣＤを録音する場合には、アルバム名を付した記録フォルダを作成するようにしてもよいし、アーティスト名の記録フォルダを作成し、その中に、さらにアルバム名の記録フォルダを作成するようにして、記録フォルダを階層的な構造としてもよい。
【００４０】
次に、この発明の実施の一形態によるオーディオ機器１０を用いて携帯電話機２０にオーディオデータを記録する際の処理の流れについて、図４に示すフローチャートを参照して説明する。なお、以下では、特に断らない限り、処理がＣＰＵ１１で行われるものとする。ユーザが、例えば操作部に設けられた「録音」に対応するキーを操作して、録音が開始されると、ステップＳ１において、ＣＤ３０がオーディオ機器１０のディスクドライブ１４に装着されたかどうかが判断される。ＣＤ３０がディスクドライブ１４に装着された場合は、処理がステップＳ２に移行する。
【００４１】
ステップＳ２では、携帯電話機２０がオーディオ機器１０に接続されたかどうかが判断される。携帯電話機２０がオーディオ機器１０に接続された場合には、処理がステップＳ３に移行する。ステップＳ３において、ディスクドライブ１４により、ディスクドライブ１４に装着されたＣＤ３０からＴＯＣ情報が読み出される。また、ＣＰＵ１１は、例えば１トラック目のオーディオデータを解析して音楽パターンを抽出し、読み出されたＴＯＣ情報および音楽パターンに基づき楽曲取得情報を生成する。
【００４２】
ステップＳ４では、ＣＰＵ１１の制御に基づき携帯電話機２０によるサーバ４０に対するアクセス要求が行われ、サーバ４０に対するアクセスが許可されたかどうかが判断される。オーディオ機器１０のＣＰＵ１１の制御により、携帯電話機２０がサーバ４０に対してアクセス要求を行い、サーバ４０に対するアクセスが許可された場合には、処理がステップＳ５に移行する。
【００４３】
ステップＳ５において、楽曲取得情報が接続部１５を介して携帯電話機２０に供給される。そして、携帯電話機２０は、供給された楽曲取得情報をネットワーク５０を介してサーバ４０に対して送信する。そして、サーバ４０において、記録されている多数のフリンジ情報の中から楽曲取得情報に対応するフリンジ情報の検索が行われる。検索の結果、楽曲取得情報に対応するフリンジ情報がある場合には、サーバ４０から携帯電話機２０に対してフリンジ情報が送信される。
【００４４】
ステップＳ６では、ＣＤ３０に関する楽曲取得情報に基づくフリンジ情報をサーバ４０から取得できたかどうかが判断される。サーバ４０からフリンジ情報が送信され、携帯電話機２０でフリンジ情報を受信した場合、受信したフリンジ情報が携帯電話機２０の接続部２１を介してオーディオ機器１０に供給され、処理がステップＳ７に移行する。ステップＳ７では、供給されたフリンジ情報に記述されているアーティスト名が抽出され、ＣＰＵ１１の制御により携帯電話機２０の記憶部２２に、例えば図３Ａに示すように、アーティスト名をフォルダ名とした記録フォルダが作成される。
【００４５】
ステップＳ８では、ディスクドライブ１４に装着されたＣＤ３０が再生され、オーディオデータが読み出される。そして、ステップＳ９において、読み出されたオーディオデータに対して所定の圧縮符号化処理が施され、フリンジ情報が付加されて圧縮オーディオデータが生成される。そして、フリンジ情報に記述されているオーディオデータのタイトルに基づき、圧縮オーディオデータに対してタイトルが付され、ステップＳ７で携帯電話機２０の記憶部２２に作成された記録フォルダに記録され、一連の処理が終了する。
【００４６】
一方、ステップＳ１においてＣＤ３０がディスクドライブ１４に装着されていない場合、および、ステップＳ２において携帯電話機２０が接続されていない場合には、処理が終了する。
【００４７】
また、ステップＳ４において携帯電話機２０によるサーバ４０に対するアクセスが許可されない場合、および、ステップＳ６においてサーバ４０からフリンジ情報を取得できなかった場合には、処理がステップＳ１０に移行する。ステップＳ１０では、携帯電話機２０の記憶部２２に、ＣＰＵ１１の制御により、例えば図３Ｂに示すように、「Ｕｎｋｎｏｗｎ  Ａｒｔｉｓｔ」などの所定の名称を付した記録フォルダが作成される。
【００４８】
ステップＳ１１では、ディスクドライブ１４に装着されたＣＤ３０が再生され、オーディオデータが読み出される。そして、ステップＳ１２において、読み出されたオーディオデータに対して所定の圧縮符号化処理が施されて圧縮オーディオデータが生成される。そして、圧縮オーディオデータに対して所定のタイトル、例えば「Ｔｉｔｌｅ  ＃１」が付され、ステップＳ１０で携帯電話機２０の記憶部２２に作成された記録フォルダに記録され、一連の処理が終了する。
【００４９】
このように、この発明の実施の一形態では、記録装置が携帯型通信機器を制御し、携帯型通信機器の通信機能を利用して自動的にサーバにアクセスしてフリンジ情報を取得する。そして、取得したフリンジ情報を付加した圧縮オーディオデータを携帯型通信機器に直接記録するようにしている。そのため、ユーザが携帯型通信機器を直接操作することなく、フリンジ情報を付加したオーディオデータを携帯型通信機器に自動的に記録することができる。
【００５０】
また、この発明の実施の一形態では、記録装置が携帯型通信機器を制御し、サーバから取得したフリンジ情報に基づき、携帯型通信機器内に記録フォルダを自動的に作成して圧縮オーディオデータを記録するようにしている。そのため、オーディオデータを再生する際に、ユーザが所望するオーディオデータの検索を容易に行うことができる。
【００５１】
さらに、ユーザが携帯型通信機器を直接操作してサーバにアクセスする必要がないため、ユーザがアクセス先のサーバを知らない場合であっても、フリンジ情報を取得することができる。
【００５２】
さらにまた、この発明の実施の一形態では、記録装置で生成された楽曲取得情報を携帯型通信機器を介してサーバに直接送信するようにしているため、携帯型通信機器には、楽曲取得情報を記録する必要がなく、携帯型通信機器における記憶部を効率的に利用することができる。
【００５３】
次に、この発明の実施の一形態の変形例について説明する。この発明の実施の一形態の変形例では、携帯型通信機器が接続された記録装置に、さらにメモリカードや携帯型音楽プレーヤなどのメモリデバイスを接続する。そして、記録装置が携帯型通信機器を制御し、ネットワークを介して音楽配信サーバから供給されたオーディオデータを、メモリデバイスに直接記録するようにした。
【００５４】
例えば、図５に示すように、携帯型通信機器である携帯電話機２０’が接続された記録装置であるオーディオ機器１０’に対して、さらにメモリデバイスである携帯型音楽プレーヤ６０が接続される。また、携帯電話機２０’は、ネットワーク５０に接続可能であり、ネットワーク５０には、音楽配信サーバ７０が接続されている。
【００５５】
オーディオ機器１０’は、携帯電話機２０’を制御し、ネットワーク５０を介して音楽配信サーバ７０にアクセスし、携帯電話機２０’を介して音楽配信サーバ７０からオーディオデータを受信する。そして、オーディオ機器１０’は、携帯型音楽プレーヤ６０を制御し、受信したオーディオデータを携帯型音楽プレーヤ６０に記録する。音楽配信サーバ７０は、フリンジ情報が予め付加されたオーディオデータを多数記録し、携帯電話機２０’からの要求に応じてオーディオデータを供給する。
【００５６】
次に、オーディオ機器１０’、携帯電話機２０’および携帯型音楽プレーヤ６０の一例の構成について、図６を参照して詳細に説明する。なお、上述の実施の一形態と同様の部分については、同一の符号を付し、説明を省略する。また、この例では、オーディオ機器１０’、携帯電話機２０’および携帯型音楽プレーヤ６０について、この発明の実施の一形態の変形例に関連の深い部分のみを示し、それ以外については、説明を省略する。
【００５７】
オーディオ機器１０’は、図６に示すように、制御部としてのＣＰＵ１１、ＲＯＭ１２、ＲＡＭ１３、第１の接続部１５’、第２の接続部１９、表示部１６および操作部１７を備え、各部がバス１８を介して接続される構成となっている。
【００５８】
ＣＰＵ１１は、第１の接続部１５’を介してオーディオ機器１０’と携帯電話機２０’とが接続された場合、携帯電話機２０’の各部を制御し、携帯電話機２０’をネットワーク５０に接続するように制御する。また、ＣＰＵ１１は、第２の接続部１９を介してオーディオ機器１０’と携帯型音楽プレーヤ６０とが接続された場合、携帯型音楽プレーヤ６０の各部を制御し、第１の接続部１５’から供給されたオーディオデータに付加されているフリンジ情報に基づき、携帯型音楽プレーヤ６０の記憶部６２に記録フォルダを作成する。そして、第１の接続部１５’から供給されたオーディオデータを、第２の接続部１９を介して携帯型音楽プレーヤ６０に供給する。
【００５９】
第１の接続部１５’は、例えばコネクタであり、携帯電話機２０’に設けられた接続部２１と直接的に接続され、所定のプロトコルを用いて通信を行うことによりデータの送受信を行う。第１の接続部１５’は、携帯電話機２０’から供給されたオーディオデータをＣＰＵ１１に供給する。
【００６０】
第２の接続部１９は、外部の携帯型音楽プレーヤ６９に設けられた接続部６１と接続され、所定のプロトコルを用いて通信を行うことによりデータの送受信を行う。第２の接続部１９としては、例えば、ＵＳＢ（Universal Serial Bus）を用いることができる。第２の接続部１９は、オーディオデータを接続部６１を介して携帯型音楽プレーヤ６０に供給する。
【００６１】
携帯電話機２０’は、接続部２１、通信部２３およびアンテナ２４を備える。携帯電話機２０’は、接続部２１を介してオーディオ機器１０’と接続された場合には、オーディオ機器１０’のＣＰＵ１１によって各部が制御されるようになっている。
【００６２】
接続部２１は、例えばコネクタであり、上述したオーディオ機器１０’の第１の接続部１５’と直接的に接続され、所定のプロトコルを用いて通信を行うことによりデータの送受信を行う。接続部２１は、通信部２３を介して外部の音楽配信サーバ７０から供給されたオーディオデータを、オーディオ機器１０’に供給する。通信部２３は、アンテナ２４を介して、サーバ４０から送られたオーディオデータを受け取り、接続部２１に供給する。
【００６３】
携帯型音楽プレーヤ６０は、接続部６１および記憶部６２を備える。携帯型音楽プレーヤ６０は、オーディオデータの再生処理などの動作が行われる場合、図示されないＣＰＵにより各部が制御されるが、接続部６１を介してオーディオ機器１０’と接続された場合には、オーディオ機器１０’のＣＰＵ１１によって各部が制御されるようになっている。
【００６４】
接続部６１は、オーディオ機器１０’の第２の接続部１９と接続され、所定のプロトコルを用いて通信を行うことによりデータの送受信を行う。接続部６１は、第２の接続部１９を介してオーディオ機器１０’から供給されたオーディオデータを記憶部６２に供給する。接続部６１としては、例えば、ＵＳＢを用いることができる。
【００６５】
記憶部６２は、例えばＨＤＤや不揮発性メモリを記録媒体とし、接続部６１を介してオーディオ機器１０’から供給された圧縮オーディオデータを記録する。記憶部６２には、圧縮オーディオデータを記録するための記録フォルダがオーディオ機器１０’のＣＰＵ１１の制御によって作成される。記録フォルダは、オーディオデータに付加されているフリンジ情報に記述されている情報に基づき作成される。
【００６６】
なお、この例では、メモリデバイスとして、携帯型音楽プレーヤ６０を用いた場合について説明したが、これはこの例に限られない。例えば、メモリカードなどの不揮発性メモリからなる記録媒体を接続するようにしてもよい。
【００６７】
また、ここでは、オーディオ機器１０’と携帯型音楽プレーヤ６０を接続する方法として、ＵＳＢなどの有線による接続について説明したが、これに限られず、例えば無線ＬＡＮ（Local Area Network）やＢｌｕｅｔｏｏｔｈ（登録商標）などの無線方式を用いて接続してもよい。
【００６８】
このように、この発明の実施の一形態の変形例では、記録装置が携帯型通信機器を制御し、携帯型通信機器の通信機能を利用して音楽配信サーバにアクセスしてオーディオデータを取得する。そして、取得したオーディオデータをメモリデバイスに直接記録するようにしている。そのため、ユーザが携帯型通信機器を直接操作することなくオーディオデータをメモリデバイスに自動的に記録することができる。
【００６９】
以上、この発明の実施の一形態および実施の一形態の変形例について説明したが、この発明は、上述したこの発明の実施の一形態および実施の一形態の変形例に限定されるものではなく、この発明の要旨を逸脱しない範囲内で様々な変形や応用が可能である。上述の例では、オーディオ機器と携帯電話機との接続は、コネクタを用いて直接的に接続するように説明したが、これに限られず、例えば、オーディオ機器と携帯電話機とをケーブル等の有線や、無線ＬＡＮやＢｌｕｅｔｏｏｔｈなどの無線を用いて接続するようにしてもよい。
【００７０】
また、楽曲取得情報は、ＴＯＣおよび第１トラック目のオーディオデータの音楽パターンに基づき生成されるように説明したが、これはこの例に限られない。例えば、ＴＯＣ情報のみを用いて楽曲取得情報を生成するようにしてもよいし、全てのトラックのオーディオデータの音楽パターンを抽出して、抽出した音楽パターンに基づき楽曲取得情報を生成するようにしてもよい。
【００７１】
さらに、オーディオ機器に携帯電話機を接続した際に、例えば、オーディオ機器の表示部の代わりに携帯電話機に設けられた表示部を用いて、各種の情報を表示させるようにしてもよい。
【図面の簡単な説明】
【００７２】
【図１】この発明の実施の一形態による記録装置を用いて携帯型通信機器にオーディオデータを記録する際の一例の構成を示す略線図である。
【図２】この発明の実施の一形態による記録装置および携帯型通信機器の一例の構成を示すブロック図である。
【図３】携帯電話機における記録フォルダのフォルダ構成について説明するための略線図である。
【図４】この発明の実施の一形態によるオーディオ機器を用いてオーディオデータを記録する際の処理の流れを説明するためのフローチャートである。
【図５】この発明の実施の一形態の変形例による記録装置を用いて携帯型音楽プレーヤにオーディオデータを記録する際の一例の構成を示す略線図である。
【図６】この発明の実施の一形態の変形例による記録装置、携帯型通信機器および携帯型音楽プレーヤ６０の一例の構成を示すブロック図である。
【図７】従来の携帯型通信機器にオーディオデータを記録する際の一例の構成を示す略線図である。
【符号の説明】
【００７３】
１０、１０’  オーディオ機器
１１  ＣＰＵ
１４  ディスクドライブ
１５  接続部
１５’  第１の接続部
１６  表示部
１７  操作部
１９  第２の接続部
２０、２０’  携帯電話機
２１  接続部
２２  記憶部
２３  通信部
３０  ＣＤ
４０  サーバ
５０  ネットワーク
６０  携帯型音楽プレーヤ
７０  音楽配信サーバ
【図１】
2008171516.tif 000003
【図２】
2008171516.tif 000004
【図３】
2008171516.tif 000005
【図４】
2008171516.tif 000006
【図５】
2008171516.tif 000007
【図６】
2008171516.tif 000008
【図７】
2008171516.tif 000009